(57)【特許請求の範囲】
【請求項１】
周側面に上下方向に細長状の接続口が形成された雨水桝本体と、
一端側には前記雨水桝本体の接続口の短径より大きい外径寸法で前記雨水桝本体の周側面に対応する湾曲フランジ部が形成され他端側にはこの湾曲フランジ部に連続してこの湾曲フランジ部より小径で前記雨水桝本体の接続口に挿通される円筒部が形成されこの他端側の円筒部の外周面にはねじ溝が形成されかつこの他端側の円筒部内周には雨水管の端部外周が嵌合接続される接続口本体と、
この接続口本体の円筒部が挿通される挿通孔を中間部に有し前記雨水桝本体の接続口の長径および短径より大きい縦横寸法で前記雨水桝本体の周側面に合わせて細長湾曲板状に形成された閉塞体と、
前記接続口本体の円筒部のねじ溝に螺合され前記接続口本体および前記閉塞体を前記雨水桝本体に対して一体的に固定するナット体と、
前記雨水桝本体の周側面と前記ナット体の端面との間に介在されるスペーサー体とを具備し、
前記スペーサー体は、前記接続口本体の円筒部を挿通可能な略筒状に形成し一端面を前記雨水桝本体の周側面に対応する湾曲面に形成しかつ他端面を前記ナット体の端面に合わせて平面に形成し、
前記閉塞体と前記スペーサー体とを一体に形成した
ことを特徴とする雨水桝用接続口装置。
【請求項２】
接続口本体の円筒部は、雨水桝本体の接続口の短径より小さい外径寸法で形成した
ことを特徴とする請求項１記載の雨水桝用接続口装置。
【請求項３】
２つの閉塞体が、雨水桝本体の周側面内周および周側面外周にそれぞれ配設された
ことを特徴とする請求項１または２記載の雨水桝用接続口装置。
【請求項４】
閉塞体にリブ部を一体に形成した
ことを特徴とする請求項１ないし３のいずれかに記載の雨水桝用接続口装置。
【発明の詳細な説明】
【０００１】
【発明の属する技術分野】
本発明は、雨水桝本体の周側面に雨水管の端部を接続するための雨水桝用接続口装置に関する。
【０００２】
【従来の技術】
雨樋からの雨水、庭の雨水等を流すための雨水本管を配管施工する場合において、雨水管の合流部、曲り部分等には雨水桝を埋設しなければならないため、この雨水桝の雨水桝本体に雨水管を接続する接続作業が必要になる。
【０００３】
ここで、従来、雨水桝本体の周側面に雨水管の端部を接続するに際し、例えば、コンクリート製の雨水桝本体の場合には、ハンマー等を用いて、雨水桝本体の周側面に雨水管の埋設深さに応じた高さ位置に位置してその雨水管の端部に応じた大きさの略円形状の接続口を削ることにより形成し、この形成した接続口にその雨水管の端部を接続していた。
【０００４】
また、例えば、ポリプロピレン製の雨水桝本体の場合には、ホールソー等の専用工具を用いて、雨水桝本体の周側面に雨水管の埋設深さに応じた高さ位置に位置して雨水管の端部に応じた大きさの略円形状の接続口を形成し、この形成した接続口にその雨水管の端部を接続していた。
【０００５】
【発明が解決しようとする課題】
しかしながら、上記従来のように、雨水桝本体への雨水管の接続時に、雨水桝本体の材質に応じて適宜の専用工具を用いて、雨水桝本体の周側面に接続口を形成し、この接続口にその雨水管の端部を接続する方法では、適宜の専用工具による孔開け作業に手間がかかるため、作業効率が悪く、接続作業が煩雑である問題を有している。
【０００６】
そこで、専用工具による孔開け作業を不要とするために、例えば塩化ビニル樹脂製の雨水桝本体の成形加工時に予めその周側面に接続口を形成しておくことも考えられるが、この場合には、雨水管の埋設深さに対応させるために、雨水桝本体の埋設深さを調整しなければならず、この雨水桝本体の埋設深さ調節作業に手間がかかるため、依然として接続作業が煩雑である問題がある。
【０００７】
本発明は、このような点に鑑みなされたもので、雨水桝本体への雨水管の接続作業を簡単かつ迅速にできる雨水桝用接続口装置を提供することを目的とする。
【０００８】
【課題を解決するための手段】
請求項１記載の雨水桝用接続口装置は、周側面に上下方向に細長状の接続口が形成された雨水桝本体と、一端側には前記雨水桝本体の接続口の短径より大きい外径寸法で前記雨水桝本体の周側面に対応する湾曲フランジ部が形成され他端側にはこの湾曲フランジ部に連続してこの湾曲フランジ部より小径で前記雨水桝本体の接続口に挿通される円筒部が形成されこの他端側の円筒部の外周面にはねじ溝が形成されかつこの他端側の円筒部内周には雨水管の端部外周が嵌合接続される接続口本体と、この接続口本体の円筒部が挿通される挿通孔を中間部に有し前記雨水桝本体の接続口の長径および短径より大きい縦横寸法で前記雨水桝本体の周側面に合わせて細長湾曲板状に形成された閉塞体と、前記接続口本体の円筒部のねじ溝に螺合され前記接続口本体および前記閉塞体を前記雨水桝本体に対して一体的に固定するナット体と、前記雨水桝本体の周側面と前記ナット体の端面との間に介在されるスペーサー体とを具備し、前記スペーサー体は、前記接続口本体の円筒部を挿通可能な略筒状に形成し一端面を前記雨水桝本体の周側面に対応する湾曲面に形成しかつ他端面を前記ナット体の端面に合わせて平面に形成し、前記閉塞体と前記スペーサー体とを一体に形成したものである。
【０００９】
そして、雨水桝本体の周側面に雨水管の端部を接続するに際し、接続口本体の円筒部を雨水桝本体の接続口に挿通して、接続口本体の円筒部の一部を雨水桝本体の外側に配設するとともに接続口本体の湾曲フランジ部を雨水桝本体の内側に配設する。また、この接続口本体の円筒部を閉塞体の中間部の挿通孔に挿通させることによりこの接続口本体の円筒部外周に閉塞体を配設するとともに、接続口本体の円筒部のねじ溝にナット体を緩く螺合することによりこの接続口本体の円筒部外周にナット体を配設する。次いで、接続口本体を雨水管の埋設深さに応じて雨水桝本体の接続口の長手方向に沿って上下方向に適宜に移動させることにより、この接続口本体を位置決めする。この接続口本体の位置決め後、接続口本体の外周に螺合したナット体をその締付け方向に移動させて、接続口本体および閉塞体を雨水桝本体の周側面に保持させることによりこれら接続口本体および閉塞体を雨水桝本体の周側面に対して一体的に固定する。この状態で、雨水桝本体の接続口は閉塞体にて閉塞された状態にある。次いで、雨水桝本体から突出した接続口本体の円筒部内周に雨水管の端部外周を嵌合接続して、雨水桝本体への雨水管の接続作業を完了する。
【００１０】
また、接続口本体の円筒部を閉塞体の中間部の挿通孔に挿通させることによりこの接続口本体の円筒部外周に閉塞体を配設するとともに、接続口本体の円筒部をスペーサー体に挿通させることによりこの接続口本体の円筒部外周にスペーサー体を配設して、さらに接続口本体の円筒部のねじ溝にナット体を緩く螺合することによりこの接続口本体の円筒部外周にナット体を配設する。この状態で、スペーサー体は雨水桝本体の周側面とナット体の端面との間に介在する。次いで、接続口本体を雨水管に応じて適宜に移動させることにより、この接続口本体を位置決めした後、接続口本体の外周に螺合したナット体をその締付け方向に移動させて、接続口本体および閉塞体をスペーサー体を介して雨水桝本体の周側面に保持させることによりこれら接続口本体および閉塞体をスペーサー体を介して雨水桝本体の周側面に対して一体的に固定する。
【００１１】
さらに、閉塞体とスペーサー体とを一体に形成するため、部品点数が少なくなり、部品の取扱いが容易となり、雨水桝本体への雨水管の接続作業がより簡単になる。
【００１２】
請求項２記載の雨水桝用接続口装置は、請求項１記載の雨水桝用接続口装置において、接続口本体の円筒部は、雨水桝本体の接続口の短径より小さい外径寸法で形成したものである。
【００１３】
そして、接続口本体を雨水管の埋設方向に応じて雨水桝本体の接続口の短手方向に沿って接続口本体の円筒部の向きを左右方向に適宜に移動させることにより、この接続口本体を位置決めする。
【００１４】
請求項３記載の雨水桝用接続口装置は、請求項１または２記載の雨水桝用接続口装置において、２つの閉塞体が雨水桝本体の周側面内周および周側面外周にそれぞれ配設されたものである。
【００１５】
そして、２つの閉塞体が雨水桝本体の周側面内周および周側面外周にそれぞれ配設されているため、ナット体を締付け方向に移動させた状態で、接続口本体および閉塞体が雨水桝本体の周側面に対して一体的に確実に固定される。
【００１６】
請求項４記載の雨水桝用接続口装置は、請求項１ないし３のいずれかに記載の雨水桝用接続口装置において、閉塞体にリブ部を一体に形成したものである。
【００１７】
そして、閉塞体に生ずる応力がリブ部にて分散されるため、閉塞体の変形が防止される。
【００１８】
【発明の実施の形態】
まず、本発明の雨水桝用接続口装置の関連技術の構成を図１ないし図５に基づいて説明する。
【００１９】
図１、図２および図５において、１は雨水桝本体で、この雨水桝本体１は、例えば塩化ビニル樹脂等にて上面を開口した略有底円筒状でかつ略細長状に成形されたもので、この雨水桝本体１はその上面が地表面２に略一致した状態で埋設されており、この雨水桝本体１の上面に開口した掃除口３は蓋体４にて開口可能に閉塞されている。
【００２０】
また、この雨水桝本体１の周側面には互いに対向する位置に流入口、流出口となる接続口５が上下方向に細長楕円形状に形成されている。なお、この接続口５は、雨水桝本体１の成形加工時に、長径Ｄ１および短径Ｄ２の寸法で予め形成されたものである。
【００２１】
そして、この雨水桝本体１の接続口５には、雨樋からの雨水、庭の雨水等を公道下に埋設された下水本管、或いは雨水タンク等に流すための雨水管６が接続されている。
【００２２】
この雨水桝本体１の接続口５への雨水管６の接続には、接続口本体７と、この接続口本体７の外周にそれぞれ配設された閉塞体８、スペーサー体９、ナット体10等とが用いられる。
【００２３】
この接続口本体７は、図１ないし図５に示すように、例えば塩化ビニル樹脂等にて両端面を開口した略円筒状に成形されたもので、この接続口本体７は、この接続口本体７の一端部に形成された湾曲フランジ部15と、この湾曲フランジ部15に連続してこの接続口本体７の他端側に形成された円筒部16とを備えている。
【００２４】
この湾曲フランジ部15は、前記雨水桝本体１の接続口５の短径Ｄ２より大きい外径寸法で前記雨水桝本体１の周側面に対応する形状に形成されており、前記ナット体10の締付け時には合成ゴム等にて環状に成形されたパッキング体17を挟んで前記雨水桝本体１の周側面に保持されるようになっている。なお、このパッキング体17には、液密性を確保するために、前記接続口５内に配設され前記閉塞体８の内周面に当接するスペーサー突部17a が一体に形成されている。
【００２５】
また、前記円筒部16は、前記雨水桝本体１の接続口５に挿通されるもので、前記湾曲フランジ部15と同心状にこの湾曲フランジ部15より小径であって前記雨水桝本体１の接続口５の短径Ｄ２よりやや小さい外径寸法で軸方向に一端部近傍から他端部の全体に亘って略等径状に形成されており、さらにこの円筒部16の他端側外周面にはねじ溝18が形成されているとともに、この円筒部16の他端側内周面は前記雨水管６の端部外周面を簡単に嵌合接続できるように平滑な円筒面に形成されている。
【００２６】
そして、この円筒部16は、前記ナット体10の締付け時には、この円筒部16の一端部近傍が前記雨水桝本体１の接続口５内に配設されるとともに、この円筒部16の他端側が前記雨水桝本体１から突出して配設されるようになっている。
【００２７】
次いで、前記閉塞体８は、前記雨水桝本体１の接続口５のうち前記接続口本体７の外方部分を閉塞するためのもので、この閉塞体８は、例えば塩化ビニル樹脂等にて前記雨水桝本体１の接続口５の長径Ｄ１および短径Ｄ２より大きい縦横寸法で、前記雨水桝本体１の周側面に合わせて細長湾曲板状に形成されており、この雨水桝本体１の長手方向の中間部には前記接続口本体７の円筒部16を挿通可能な挿通孔19が形成されている。また、この閉塞体８の外表面にはリブ部20が一体に形成されている。
【００２８】
そして、この閉塞体８は、前記ナット体10の締付け時には、前記雨水桝本体１の周側面外周に配設され、この閉塞体８の内表面縁部が前記雨水桝本体１の接続口５近傍の周側面外周に当接保持されるようになっている。
【００２９】
次いで、前記スペーサー体９は、前記ナット体10の締付けを確実なものとするためにこのナット体10の端面と前記閉塞体８の周側面との間に介在されるもので、このスペーサー体９は、例えば塩化ビニル樹脂、合成ゴム等にて前記接続口本体７の円筒部16を挿通可能な寸法で略円筒状に形成されている。このスペーサー体９における前記閉塞体８側の一端面は、前記雨水桝本体１の周側面に対応する湾曲面9aに形成されているとともに、このスペーサー体９における前記ナット体10側の他端面は、そのナット体10の端面に合わせて平面9bに形成されている。
【００３０】
そして、このスペーサー体９は、前記ナット体10の締付け時には、このスペーサー体９の湾曲面9aが前記閉塞体８の外表面に当接保持されるとともにこのスペーサー体９の平面9bがそのナット体10の端面に当接保持されるようになっている。
【００３１】
次いで、前記ナット体10は、前記接続口本体１および前記閉塞体８を前記雨水桝本体１に対して前記スペーサー体９を介して一体的に固定するためのもので、このナット体10は、例えば合成樹脂等にて前記接続口本体７の円筒部16を挿通可能な寸法で略円筒状に形成されている。このナット体10の内周部には前記接続口本体７の円筒部16のねじ溝18に螺合するねじ溝が22が形成されているとともに、このナット体10の外周部には複数個の把持部23が一体に突出形成されている。
【００３２】
次に、上記関連技術の作用を説明する。
【００３３】
雨水桝本体１の周側面に雨水管６の端部を接続する場合には、例えば、パッキング体17を接続口本体７の円筒部16の一端部に装着してから、この接続口本体７の円筒部16を雨水桝本体１の内側からこの雨水桝本体１の接続口５に挿通して、接続口本体７の円筒部16の他端側を雨水桝本体１の外側に突出させるとともに、接続口本体７の湾曲フランジ部15の一部をパッキング体17を挟んで雨水桝本体１の周側面に当接させる。
【００３４】
そして、この雨水桝本体１から突出した接続口本体７の円筒部16の外周に、閉塞体８、スペーサー体９およびナット体10をそれぞれ配設する。
【００３５】
すなわち、接続口本体７の円筒部16を閉塞体８の中間部の挿通孔19に挿通させてこの接続口本体７の円筒部16の外周に閉塞体８を取り付け、この状態で接続口本体７の円筒部16にスペーサー体９を嵌合挿通させることによりこの接続口本体７の円筒部16の外周にスペーサー体９を取り付け、この接続口本体７の円筒部16のねじ溝18にナット体10のねじ溝22を緩く螺合することによりこの接続口本体７の円筒部16の外周にナット体10を取り付ける。
【００３６】
次いで、接続口本体７等を雨水管６の埋設深さに応じて、雨水桝本体１の接続口５の長手方向に沿って上下方向に適宜に移動させることにより、この接続口本体７を位置決めする。
【００３７】
同時に、接続口本体７等を雨水管６の埋設方向に応じて、雨水桝本体１の接続口５の短手方向に沿って接続口本体７の円筒部16の向きを左右方向に適宜に移動させることにより、この接続口本体７を位置決めする。
【００３８】
この接続口本体７の位置決め後、接続口本体７の円筒部16の外周に緩く螺合してあるナット体10を螺合締付け、この接続口本体７および閉塞体８をスペーサー体９を介して雨水桝本体１の周側面に保持させることにより、これら接続口本体および閉塞体をスペーサー体９を介して雨水桝本体１の周側面に対して一体的に固定する。この状態で、雨水桝本体１の接続口５は、閉塞体８にて閉塞された状態にある。
【００３９】
次いで、雨水桝本体１から突出した接続口本体７の円筒部16の内周に雨水管６の端部外周を嵌合接続して、雨水桝本体１への雨水管６の接続作業を完了する。
【００４０】
このようにして、上記関連技術によれば、雨水桝本体１の接続口５に挿通した接続口本体７の円筒部16の外周に閉塞体８、スペーサー体９、ナット体10等を配設した後、接続口本体７等を雨水管６の埋設深さに応じて雨水桝本体１の接続口５の長手方向に沿って適宜に移動させることにより、この接続口本体７を位置決めした後、接続口本体７の外周に緩く螺合したナット体10をその締付け方向に移動させて、これら接続口本体７および閉塞体８をスペーサー体９を介して雨水桝本体１の周側面に対して一体的に固定して、次いで、接続口本体７の円筒部16の内周に雨水管６の端部外周を嵌合接続して、雨水桝本体１への雨水管６の接続作業を完了するので、適宜の専用工具、例えばホールソー等による孔開け作業を不要とでき、また雨水桝本体１の埋設深さ調節作業も不要とでき、従来と比べて、雨水桝本体１への雨水管６の接続作業を簡単かつ迅速に行うことができる。
【００４１】
また、接続口本体７の円筒部16を雨水桝本体１の接続口５の短径よりやや小さい外径寸法に形成するため、接続口本体７の円筒部16と雨水桝本体１との間に間隙が形成されるので、接続口本体７を雨水管６の埋設方向に応じて、雨水桝本体１の接続口５の短手方向に沿って接続口本体７の円筒部16の向きを左右方向に適宜に移動させることにより、この接続口本体７を位置決めできるので、雨水桝本体１への雨水管６の接続作業をより簡単かつ迅速に行うことができる。
【００４２】
さらに、接続口本体７の円筒部16を挿通可能で一端面を雨水桝本体１の周側面に対応する湾曲面9aに形成しかつ他端面をナット体10の端面に合わせて平面9bに形成した略筒状のスペーサー体９を備えるため、ナット体10を締付け方向に移動させた状態で、スペーサー体９の湾曲面9aを閉塞体８の外表面に当接保持させるとともにこのスペーサー体９の平面9bをナット体10の端面に当接保持させることにより、接続口本体７および閉塞体８をスペーサー体９を介して雨水桝本体１の周側面に対して一体的でかつ安定的に固定できる。
【００４３】
また、閉塞体８にリブ部23を一体に形成するため、閉塞体８に生ずる応力をそのリブ部23にて分散させることができ、閉塞体８の安易な変形を防止できる。
【００４４】
次に、本発明の雨水桝用接続口装置の一実施の形態について説明する。
【００４５】
本実施の形態に係る雨水桝用接続口装置は、前記関連技術において、閉塞体８とスペーサー体９とを同一部材で一体に形成したものである。
【００４６】
例えば、図６(a)に示す閉塞体28は、この閉塞体28の中間部外表面にスペーサー体としてのスペーサー部29が一体に突出形成されており、このスペーサー部29の端面はナット体10の端面に合わせて平面状に形成されている。この閉塞体28を接続口本体７の円筒部16の外周に配設した後、ナット体10を締付け方向に移動させることによりこの閉塞体28の内表面を雨水桝本体１の周側面外周に当接保持させた状態を図６(b) に示す。
【００４７】
そして、この図６(b) に示すように、この閉塞体28を用いて、雨水桝本体１の接続口５に雨水管６を接続する場合には、閉塞体28にスペーサー部29を一体に形成するため、部品点数を少なくでき、部品の取扱いを容易にでき、雨水桝本体１への雨水管６の接続作業をより簡単にできる。
さらに、図７に示すように、閉塞体８を雨水桝本体１の周側面内周に配設するとともに、図６(a) に示す閉塞体28を雨水桝本体１の周側面外周に配設したものでもよい。
【００４８】
この２つの閉塞体８，28を用いる場合には、閉塞体８および閉塞体28のいずれか一方のみを配設する場合に比べて、ナット体10を締付け方向に移動させた状態で、閉塞体８，28および接続口本体７を雨水桝本体１の周側面に対して一体的に強固かつ確実に固定でき、雨水桝本体１の接続口５への雨水管６の接続を強固かつ確実にできる。
【００４９】
なお、上記関連技術においては、雨水桝本体１は、この雨水桝本体１の周側面に互いに対向する位置に流入口、流出口となる接続口５をそれぞれ細長楕円形状に形成した構成について説明したが、例えば、雨水桝本体１の周側面に流入口となる接続口５のみを細長楕円形状に形成しかつ流出口となる接続口（図示しない）は略円形状に形成した構成でもよい。
【００５０】
【発明の効果】
請求項１記載の雨水桝用接続口装置によれば、雨水桝本体の接続口に挿通した接続口本体の円筒部外周に閉塞体を配設するとともにナット体を配設して、次いで、接続口本体を雨水管の埋設深さに応じて雨水桝本体の接続口の長手方向に沿って適宜に移動させることによりこの接続口本体を位置決めした後、接続口本体の外周に緩く螺合したナット体をその締付け方向に移動させて、これら接続口本体および閉塞体を雨水桝本体の周側面に対して一体的に固定して、次いで、接続口本体の円筒部内周に雨水管の端部外周を嵌合接続して、雨水桝本体への雨水管の接続作業を完了するので、適宜の専用工具による孔開け作業を不要とでき、また雨水桝本体の埋設深さ調節作業も不要とでき、従来と比べて、雨水桝本体への雨水管の接続作業を簡単かつ迅速に行うことができる。また、接続口本体の円筒部を挿通可能で一端面を雨水桝本体の周側面に対応する湾曲面に形成しかつ他端面をナット体の端面に合わせて平面に形成した略筒状のスペーサー体を具備するため、接続口本体および閉塞体をスペーサー体を介して雨水桝本体の周側面に対して一体的でかつ安定的に固定できる。さらに、閉塞体とスペーサー体とを一体に形成するため、部品点数を少なくでき、部品の取扱いを容易にでき、雨水桝本体への雨水管の接続作業をより簡単にできる。
【００５１】
請求項２記載の雨水桝用接続口装置によれば、接続口本体の円筒部を雨水桝本体の接続口の短径より小さい外径寸法に形成するため、接続口本体を雨水管の埋設方向に応じて雨水桝本体の接続口の短手方向に沿って接続口本体の円筒部の向きを左右方向に適宜に移動させることによりこの接続口本体を位置決めできるので、雨水桝本体への雨水管の接続作業をより簡単かつ迅速に行うことができる。
【００５２】
請求項３記載の雨水桝用接続口装置によれば、２つの閉塞体を雨水桝本体の周側面内周および周側面外周にそれぞれ配設するため、ナット体を締付け方向に移動させた状態で、接続口本体および閉塞体を雨水桝本体の周側面に対して一体的に強固かつ確実に固定でき、雨水桝本体の接続口への雨水管の接続を強固かつ確実にできる。
【００５３】
請求項４記載の雨水桝用接続口装置によれば、閉塞体にリブ部を一体に形成するため、閉塞体に生ずる応力をそのリブ部にて分散させることができ、閉塞体の安易な変形を防止できる。
【図面の簡単な説明】
【図１】  本発明の雨水桝用接続口装置の関連技術を示す断面図である。
【図２】  同上雨水桝用接続口装置を示す平面図である。
【図３】  同上雨水桝用接続口装置を示すこの雨水桝用接続口装置の接続口本体の一端側から見た側面図である。
【図４】  同上雨水桝用接続口装置を示すこの雨水桝用接続口装置の接続口本体の他端側から見た側面図である。
【図５】  同上雨水桝用接続口装置の雨水桝本体全体を示す正面図である。
【図６】  本発明の雨水桝用接続口装置の一実施の形態を示す図であり、(a)は閉塞体の上方視断面図であり、(b)は雨水桝用接続口装置の断面図である。
【図７】  本発明の雨水桝用接続口装置の他の実施の形態を示す断面図である。
【符号の説明】
１    雨水桝本体
５    接続口
６    雨水管
７    接続口本体
８，28    閉塞体
９    スペーサー体
9a    湾曲面
9b    平面
10    ナット体
15    湾曲フランジ部
16    円筒部
18    ねじ溝
19    挿通孔
20    リブ部
29    スペーサー体としてのスペーサー部
【図１】
0003865497.tif 000002
【図２】
0003865497.tif 000003
【図３】
0003865497.tif 000004
【図４】
0003865497.tif 000005
【図５】
0003865497.tif 000006
【図６】
0003865497.tif 000007
【図７】
0003865497.tif 000008